(57)【要約】【課題】  栓本体のスライド軸から容易に取り外したり組み込むことができ、捕集された毛髪や糸屑等を容易に除去することができるヘアーキャッチャーを提供する。【解決手段】  ヘアーキャッチャーを、排水口径よりやや小径の捕集部と、該捕集部の中心部から垂下方向に延設され上記スライド軸が挿通される軸部と、を有して構成し、上記捕集部及び軸部を、複数に分割して形成すると共に、これら分割された夫々の捕集部及び軸部には、これを上記スライド軸に組み付けたときに、該組立状態を保持する係止手段が形成して構成した。【選択図】図１
2006299634.tif 000002
【特許請求の範囲】
【請求項１】
排水口径よりやや小径の捕集部と、該捕集部の中心部から垂下方向に延設され上記スライド軸が挿通される軸部と、を有して構成されてなるヘアーキャッチャー構造において、上記捕集部及び軸部を、複数に分割して形成すると共に、これら分割された夫々の捕集部及び軸部には、これを上記スライド軸に組み付けたときに、該組立状態を保持する係止手段が形成されていることを特徴とするヘアーキャッチャー。
【請求項２】
排水口径よりやや小径の捕集部と、該捕集部の中心部から垂下方向に延設され上記スライド軸が挿通される軸部と、を有して構成されてなるヘアーキャッチャー構造において、上記捕集部及び軸部を、複数に分割して形成すると共に、これら分割された夫々の捕集部及び軸部は、これをスライド軸に組み付けるときに、一の捕集部及び軸部を、スライド軸に沿ってスライドさせた後に、他の捕集部及び軸部に係合させて組み立てるように構成されていることを特徴とするヘアーキャッチャー。
【請求項３】
排水口径よりやや小径の捕集部と、該捕集部の中心部から垂下方向に延設され上記スライド軸が挿通される軸部と、を有して構成されてなるヘアーキャッチャー構造において、上記捕集部及び軸部に切欠部を開設し、該切欠部は、捕集部及び軸部の周方向に弾性を有して形成されていると共に、少なくとも上記軸部の切欠部は、前記スライド軸の直径よりも若干細幅に形成され、上記切欠部から前記スライド軸に押し込みこむことで、捕集部及び軸部をスライド軸に上下方向スライド自在に組み付けることを特徴とするヘアーキャッチャー。
【請求項４】
前記切欠部が形成された捕集部には、該切欠部を覆うためのサブヘアーキャッチャーが重合可能に嵌装され、該サブヘアーキャッチャーにも、同様の切欠部が形成されていることを特徴とする請求項３に記載のヘアーキャッチャー。
【請求項５】
前記軸部の上下に捕集部が形成されていることを特徴とする請求項１乃至請求項４のいずれかに記載のヘアーキャッチャー。
【発明の詳細な説明】
【技術分野】
【０００１】
本発明は、ポップアップ式排水栓のスライド軸に上下方向にスライド可能に嵌装され、或はゴム栓式排水栓に嵌装されるヘアーキャッチャーに係り、特に、上記スライド軸や排水栓から容易に取り外したり組み立てることができるヘアーキャッチャーに関する。
【背景技術】
【０００２】
例えば、ポップアップ式排水栓は、特許文献１に示すように、洗面ボウルや流し台のシンクの底部に設けられ、上下スライド操作されるホップアップシャフトにより押し上げられて排水口を開栓し、この後、降下して同排水口を閉栓するように構成されており、排水口を開閉する栓本体と、該栓本体より垂設されるスライド軸と、該スライド軸が挿通される貫通孔を有して構成されていると共に、該スライド軸にはヘアーキャッチャーが上下方向スライド自在に保持されて構成されている。
【０００３】
また、上記スライド軸からヘアーキャッチャーの軸孔から抜け外れるのを防止するストッパー体が同スライド軸の下端に一体に形成されており、該ストッパー体の下面にホップアップシャフトの上端が当接され、該ホップアップシャフトにより上記スライド軸と共に栓本体が押し上げられて該栓本体が排水口を開栓し、また、ホップアップシャフトが引き下げられると、スライド軸と共に栓本体が降下して排水栓を閉栓するように構成されている。さらに、従来のゴム栓式排水栓にもヘアーキャッチャーが着脱自在に嵌装されるものも知られている。
【０００４】
【特許文献１】特開２００４−１５００３８号公報
【発明の開示】
【発明が解決しようとする課題】
【０００５】
このように、ヘアーキャッチャーは、毛髪や糸屑等を引っかけて捕集し、排水口から排水と一緒に毛髪や糸屑等が流出されることが防止されるものであり、栓本体やスライド軸等と共にヘアーキャッチャーを排水口内から取り出して、前記捕集された毛髪や糸屑等を除去することができるように構成されているが、この従来のヘアーキャッチャーにあっては、スライド軸の下端にストッパー体が固定されているため、スライド軸から取り外すことができず、該スライド軸が邪魔となるため、前記捕集された毛髪や糸屑等を除去することが非常に難しく、また、煩雑である、という問題を有していた。
【０００６】
この発明は、かかる現状に鑑み創案されたものであって、その目的とするところは、上記スライド軸やゴム栓式排水栓から容易に取り外したり組み込むことができ、その結果、前記捕集された毛髪や糸屑等を除去することが容易なヘアーキャッチャーを提供しようとするものである。
【課題を解決するための手段】
【０００７】
上記目的を達成するため、請求項１に記載の発明にあっては、排水口径よりやや小径の捕集部と、該捕集部の中心部から垂下方向に延設され上記スライド軸が挿通される軸部と、を有して構成されてなるヘアーキャッチャー構造において、上記捕集部及び軸部を、複数に分割して形成すると共に、これら分割された夫々の捕集部及び軸部には、これを上記スライド軸に組み付けたときに、該組立状態を保持する係止手段が形成されていることを特徴とする。
【０００８】
また、請求項２に記載の発明にあっては、排水口径よりやや小径の捕集部と、該捕集部の中心部から垂下方向に延設され上記スライド軸が挿通される軸部と、を有して構成されてなるヘアーキャッチャー構造において、上記捕集部及び軸部を、複数に分割して形成すると共に、これら分割された夫々の捕集部及び軸部は、これをスライド軸に組み付けるときに、一の捕集部及び軸部を、スライド軸に沿ってスライドさせた後に、他の捕集部及び軸部に係合させて組み立てるように構成されていることを特徴とする。
【０００９】
さらに、請求項３に記載の発明にあっては、排水口径よりやや小径の捕集部と、該捕集部の中心部から垂下方向に延設され上記スライド軸が挿通される軸部と、を有して構成されてなるヘアーキャッチャー構造において、上記捕集部及び軸部に切欠部を開設し、該切欠部は、捕集部及び軸部の周方向に弾性を有して形成されていると共に、少なくとも上記軸部の切欠部は、前記スライド軸の直径よりも若干細幅に形成され、上記切欠部から前記スライド軸に押し込みこむことで、捕集部及び軸部をスライド軸に上下方向スライド自在に組み付けることを特徴とする。
【００１０】
請求項４に記載の発明にあっては、請求項３に記載のヘアーキャッチャーを技術的前提とし、前記切欠部が形成された捕集部に、該切欠部を覆うためのサブヘアーキャッチャーが重合可能に嵌装され、該サブヘアーキャッチャーにも、同様の切欠部が形成されていることを特徴とする。
【００１１】
請求項５に記載の発明にあっては、請求項１乃至請求項４のいずれかに記載のヘアーキャッチャーを技術的前提とし、前記軸部の上下に捕集部が形成されていることを特徴とする。
【発明の効果】
【００１２】
この発明に係るヘアーキャッチャーは、以上説明したように構成されているので、栓本体のスライド軸やゴム栓式排水栓から容易に取り外したり組み込むことができ、その結果、捕集された毛髪や糸屑等を容易、かつ確実に除去することができる。
【発明を実施するための最良の形態】
【００１３】
以下、添付図面に示す各実施例に基づき、この発明を詳細に説明する。
【実施例１】
【００１４】
図１は、この発明の実施例１に係るヘアーキャッチャーの着脱手順を示す説明図を、図２は同ヘアーキャッチャーの２分割された右側ヘアーキャッチャーの正面図を、図３は同右側ヘアーキャッチャーの平面図を、図４は同右側ヘアーキャッチャーの底面図を、図５は図３Ａ−Ａ線断面図を、図６は図３Ｂ部拡大詳細図を、図７は図４Ｃ部拡大詳細図を、図８は同ヘアーキャッチャーの２分割された左側ヘアーキャッチャーの正面図を、図９は同左側ヘアーキャッチャーの平面図を、図１０は同左側ヘアーキャッチャーの底面図を、図１１は図９Ａ−Ａ線断面図を、図１２は図９Ｂ部拡大詳細図を、図１３は図１０Ｃ部拡大詳細図を夫々示している。
【００１５】
即ち、この実施例１に係るヘアーキャッチャーＨ１は、排水口径よりやや小径の上下２段の捕集部１，２と、該捕集部１，２の中心部を連結する筒状の軸部３と、から構成されており、上記捕集部１，２及び軸部３は、その軸心に沿って左右に略２分割して右側ヘアーキャッチャーＨＲと左側ヘアーキャッチャーＨＬとから形成されている。
【００１６】
この２分割された左右のキャッチャーＨＬ，ＨＲは、図１に示すように、栓本体Ｐのスライド軸Ｓに着脱自在に装着することができるように構成されている。
【００１７】
右側ヘアーキャッチャーＨＲは、図２乃至図７に示すように、平面形状が半円状の右上段捕集部１Ｒと、底面形状が半円状の右下段捕集部２Ｒと、これら右上段捕集部１Ｒと右下段捕集部２Ｒとを連結する縦に２分割された右軸部３Ｒと、から構成されている。
【００１８】
右上段捕集部１Ｒは、外側のリブ部４Ｒと、内側のリブ部５Ｒと、これら右軸部３Ｒとリブ部４Ｒ，５Ｒとを放射状に連結する複数のリブ部６Ｒと、から構成されており、上記内側のリブ部５Ｒと複数のリブ部６Ｒは、外側のリブ部４Ｒ及び右軸部３Ｒの高さ寸法よりも１段低く設定されている。
【００１９】
さらに、上記右軸部３Ｒの上端部左右には、図６に示すように、前記直径リブ部６Ｒ１，６Ｒ２より前方に突出する平面形状が略Ｃ字状の係止片８Ｒ，８Ｒが突設されており、また、該右軸部３Ｒの中央部には、側面形状が略Ｃ字状の係止突起９Ｒ，９Ｒが開設されており、さらには、上記右軸部３Ｒの下端部は右下段捕集部２Ｒの底面部より下方に突設されていると共に、この突設された下端部の両側には、図７に示すように、平面形状が略Ｌ字状の切欠部１０Ｒ，１０Ｒが形成されている。
【００２０】
また、上記右下段捕集部２Ｒは、外側のリブ部１１Ｒと、上記右軸部３Ｒとリブ部１１Ｒとを放射状に連結する複数のリブ部１２Ｒと、から構成されている。
【００２１】
一方、左上段捕集部１Ｌは、図８乃至図１３に示すように、外側のリブ部４Ｌと、内側のリブ部５Ｌと、これら左軸部３Ｌとリブ部４Ｌ，５Ｌとを放射状に連結する複数のリブ部６Ｌと、から構成されており、上記内側のリブ部５Ｌと複数のリブ部６Ｌは、外側のリブ部４Ｌ及び左軸部３Ｌの高さ寸法よりも１段低く設定されている。
【００２２】
また、上記複数のリブ部６Ｌの内の直径リブ部６Ｌ１，６Ｌ２には、凹状の切欠溝７Ｌ，７Ｌが開設されている。
【００２３】
さらに、上記左軸部３Ｌの上端部左右には、平面形状が略Ｌ字状の切欠部８Ｌ，８Ｌが形成されており、また、該左軸部３Ｌの中央部の水平方向には、側面形状が略Ｃ字状の係止溝９Ｌ，９Ｌが開設されており、さらには、上記左軸部３Ｌの下端部は右下段捕集部２Ｌの底面部より下方に突設されていると共に、この突設された下端部の両側には、図１２に示すように、係止片１０Ｌ，１０Ｌが延設されている。
【００２４】
また、上記左下段捕集部２Ｌは、外側のリブ部１１Ｌと、上記左軸部３Ｌとリブ部１１Ｌとを放射状に連結する複数のリブ部１２Ｌと、から構成されている。
【００２５】
以上のように構成されてなる左右側ヘアーキャッチャーＨＲ，ＨＬをスライド軸Ｓに装着し組み付ける場合には、図１に示すように、まず左右側ヘアーキャッチャーＨＲ，ＨＬの取り付け高さ位置を、図１の左図に示すように、異ならしめて取り付ける。
【００２６】
次に、図１の中央図に示すように、右側ヘアーキャッチャーＨＲを下降させて左側ヘアーキャッチャーＨＬへと近づけ、図１の右図のように結合させる。このとき、右側ヘアーキャッチャーＨＲの係止突起９Ｒ，９Ｒは左側ヘアーキャッチャーＨＬの係止溝９Ｌ，９Ｌに嵌合係止され、さらに、右側ヘアーキャッチャーＨＲの係止片８Ｒ，８Ｒは左側ヘアーキャッチャーＨＬの切欠部８Ｌ，８Ｌに嵌合係止されるとともに、右側ヘアーキャッチャーＨＲの切欠部１０Ｒ，１０Ｒには、左側ヘアーキャッチャーＨＬの係止片１０Ｌ，１０Ｌが嵌合係止されるので、両左右側ヘアーキャッチャーＨＲ，ＨＬは、上記各係止状態が解除されない状態で排水口内に配設され、所望の毛髪や糸屑等の捕集を実現することができる。
【００２７】
勿論、両左右側ヘアーキャッチャーＨＲ，ＨＬの上記各係止状態を解除する場合には、上記手順とは逆に操作することで、容易に両左右側ヘアーキャッチャーＨＲ，ＨＬの各係止状態を簡単に解除し、分解することができる。
【実施例２】
【００２８】
図１４は、この発明の実施例２に係るヘアーキャッチャーの着脱手順を示す説明図を、図１５は同ヘアーキャッチャーの分割された右側ヘアーキャッチャーの正面図を、図１６は同右側ヘアーキャッチャーの平面図を、図１７は同右側ヘアーキャッチャーの底面図を図１８は同右側ヘアーキャッチャーの右側面図を、図１９は図１６Ａ−Ａ線断面図を、図２０は図１５Ｂ−Ｂ線断面図を、図２１は図２０Ｃ方向から見た拡大詳細図を、図２２は同ヘアーキャッチャーの分割された左側ヘアーキャッチャーの正面図を、図２３は同左側ヘアーキャッチャーの平面図を、図２４は同左側ヘアーキャッチャーの底面図を、図２５は同右側ヘアーキャッチャーの右側面図を、図２６は図２３Ａ−Ａ線断面図を、図２７は図２２Ｂ−Ｂ線断面図を、図２８は図２７Ｃ方向から見た拡大詳細図を夫々示している。
【００２９】
即ち、この実施例２に係るヘアーキャッチャーＨ２は、図１４に示すように、排水口径よりやや小径の上下２段の捕集部２１，２２と、該捕集部２１，２２の中心部から垂下方向に延設され上記スライド軸Ｓが挿通される軸部２３と、を有して構成され、上記捕集部２１，２２及び軸部２３は、その軸心に沿って左右に分割して右側ヘアーキャッチャーＨＲと左側ヘアーキャッチャーＨＬとから形成されている。
【００３０】
右側ヘアーキャッチャーＨＲは、図１５乃至図２１に示すように、平面形状が１／３円状（１２０度）の右上段捕集部２１Ｒと、底面形状が３／４円状（２７０度）の右下段捕集部２２Ｒと、これら右上段捕集部２１Ｒと右下段捕集部２２Ｒとを連結する縦に２分割された右軸部２３Ｒと、から構成されている。
【００３１】
右上段捕集部２１Ｒは、外側のリブ部２４Ｒと、内側のリブ部２５Ｒと、これら右軸部２３Ｒとリブ部２４Ｒ，２５Ｒとを放射状に連結する複数のリブ部２６Ｒと、から構成されており、上記内側のリブ部２５Ｒと複数のリブ部２６Ｒは、外側のリブ部２４Ｒ及び右軸部２３Ｒの高さ寸法よりも１段低く設定されている。
【００３２】
また、上記右軸部２３Ｒの下方であって、右下段捕集部２２Ｒの上部には、図２０に示すように、右軸部２３Ｒが２４０度に拡径されてなる拡径部２７Ｒが一体形成されており、該拡径部２７Ｒの両側下部には、図２１に示すように、側面形状が略Ｃ字状の係止溝２８Ｒ，２８Ｒが開設されている。
【００３３】
さらに、上記右下段捕集部２２Ｒは、図２２乃至図２８図に示すように、１／４円状（９０度）の外側のリブ部３１Ｒと、上記右軸部２３Ｒとリブ部３１Ｒとを放射状に連結する複数のリブ部３２Ｒと、から構成されている。
【００３４】
そして、該右下段捕集部２２Ｒの２４０度に形成された軸部２３Ｒ内には、図１７に示すように、６０度に縮径された縮径部２３Ｒ１が形成されている。
【００３５】
一方、左上段捕集部２１Ｌは、２／３円状（２４０度）の外側のリブ部２４Ｌと、内側のリブ部２５Ｌと、これら左軸部２３Ｌとリブ部２４Ｌ，２５Ｌとを放射状に連結する複数のリブ部２６Ｌと、から構成されており、上記内側のリブ部２５Ｌと複数のリブ部２６Ｌは、外側のリブ部２４Ｌ及び左軸部２３Ｌの高さ寸法よりも１段低く設定されている。
【００３６】
また、上記左軸部２３Ｌの左上段捕集部２１Ｌの下方と左下段捕集部２２Ｌとの間には、図２７に示すように、２４０度の左軸部２３Ｌの径が６０度まで縮径された縮径部２８Ｌが形成されている。
【００３７】
さらに、上記縮径部２８Ｌの下部には、図２８に示すように、前記拡径部２７Ｒに形成された係止溝２８Ｒ，２８Ｒと嵌合係止する係合突起２９Ｌ，２９Ｌが突設されている。
【００３８】
また、上記左下段捕集部２２Ｌは、１／４円状（９０度）の外側のリブ部３１Ｌと、上記左軸部２３Ｌとリブ部３１Ｌとを放射状に連結する複数のリブ部３２Ｌと、から構成されている。また、左下段捕集部２２Ｌの左軸部２３Ｌ内には、６０度の係止軸部２３Ｌ２が形成されている。
【００３９】
以上のように構成されてなる左右側ヘアーキャッチャーＨＲ，ＨＬをスライド軸Ｓに装着し組み付ける場合には、図１４に示すように、まず左右側ヘアーキャッチャーＨＲ，ＨＬの取り付け高さ位置を、図１４中央図に示すように、異ならしめて取り付ける。このとき、右側ヘアーキャッチャーＨＲの拡径部２７Ｒに形成された係止溝２８Ｒ，２８Ｒと、左側ヘアーキャッチャーＨＬの縮径部２８Ｌの下部に形成された係合突起２９Ｌ，２９Ｌが嵌合係止され、また、右側ヘアーキャッチャーＨＲの右下段捕集部２２Ｒに形成された軸部２３Ｌ１と左側ヘアーキャッチャーＨＬの左下段捕集部２２Ｌに形成された下部軸部２３Ｌとが密に係合するため、両左右側ヘアーキャッチャーＨＲ，ＨＬは、上記各係止状態が解除されない状態で排水口内に配設され、所望の毛髪や糸屑等の捕集を実現することができる。
【００４０】
勿論、両左右側ヘアーキャッチャーＨＲ，ＨＬの上記各係止状態を解除する場合には、上記手順とは逆に操作することで、容易に両左右側ヘアーキャッチャーＨＲ，ＨＬの各係止状態を簡単に解除し、分解することができる。
【実施例３】
【００４１】
図２９は、この発明の実施例３に係るヘアーキャッチャーの着脱手順を示す説明図を、図３０は同ヘアーキャッチャーの一部を切欠して示す正面図を、図３１は同ヘアーキャッチャーの平面図を、図３２は同ヘアーキャッチャーの底面図を、図３３は図３１Ｃ部拡大詳細図を、図３４は図３２Ｄ部拡大詳細図を、図３５は図３０Ｅ−Ｅ線断面図を、図３６は本実施例３のヘアーキャッチャーの捕集部に嵌装されるサブヘアーキャッチャーの一部を切欠して示す正面図を、図３７は同サブヘアーキャッチャーの平面図を、図３８は同サブヘアーキャッチャーの底面図を、図３９は図３７Ｃ部拡大詳細図を、図４０は図３８Ｄ部拡大詳細図を、図４１は図３８Ｅ−Ｅ線断面図を夫々示している。
【００４２】
即ち、この実施例３に係るヘアーキャッチャーＨ３は、図２９に示すように、排水口径よりやや小径の上下２段の捕集部４１，４２と、該捕集部４１，４２の中心部から垂下方向に延設され上記スライド軸Ｓが挿通される軸部４３と、を有して構成され、上記捕集部４１，４２及び軸部４３に切欠部４４，４５，４６を開設し、該切欠部４４，４５．４６は、捕集部４１，４２及び軸部４３の周方向に弾性を有して形成されていると共に、上記捕集部４１，４２の切欠部４４，４５及び軸部４３の切欠部４６は、前記スライド軸Ｓの直径よりも若干細幅に形成され、上記切欠部４４，４５，４６から本ヘアーキャッチャーＨ３を前記スライド軸Ｓに押し込みこむことで、捕集部４１，４２及び軸部４３をスライド軸Ｓに上下方向スライド自在に組み付けることができる。
【００４３】
そして、この実施例３では、上段捕集部４１の切欠部４４が空いてしまい、該部分では毛髪や糸屑等の捕集ができなくなり、捕集効率が低下するのを防止するため、該切欠部４４を覆うためのサブヘアーキャッチャー６０が重合可能に嵌装され、該サブヘアーキャッチャー６０にも、同様の切欠部６７が形成されている。
【００４４】
即ち、本実施例３に係るヘアーキャッチャーＨ３は、実施例１及び実施例２のように分割形成されてはおらず、上記切欠部４４，４５，４６を利用してスライド軸Ｓに嵌装することを特徴とするものである。
【００４５】
本ヘアーキャッチャーＨ３は、図３０乃至図３５に示すように、平面形状が略円状の上段捕集部４１と、底面形状が略円状の下段捕集部４２と、これら上段捕集部４１と下段捕集部４２とを連結する縦に２分割された軸部４３と、から構成されている。
【００４６】
上段捕集部４１は、外側のリブ部４７と、内側のリブ部４８と、これら軸部４３とリブ部４７，４８とを放射状に連結する複数のリブ部４９と、から構成されており、上記内側のリブ部４８と複数のリブ部４９は、外側のリブ部４７及び軸部４３の高さ寸法よりも１段低く設定されていると共に、上記外側のリブ部４７には２個の凹溝５０，５１が形成されている。
【００４７】
また、上記下段捕集部４２は、外側のリブ部５２と、上記軸部４３とリブ部５２とを放射状に連結する複数のリブ部５３と、から構成されている。
【００４８】
また、上段捕集部４１に形成された上記切欠部４４と下段捕集部４２に形成された切欠部４５は、図３３と図３４に示すように、スライド軸Ｓの直径よりも若干太幅に形成され、かつ、上段捕集部４１の中心部に形成された軸部４３Ｕの開口部４３ＵＡと軸部４３の開口部４３Ａ及び下段捕集部４２の中心部に形成された軸部４３Ｌの開口部４３ＬＡは、スライド軸Ｓの直径及び軸部４３Ｕ，４３Ｌ並びに軸部４３の口径よりも僅かに絞られ形成されている。
【００４９】
次に、サブヘアーキャッチャー６０は、図３６乃至図４１に示すように、平面形状がヘアーキャッチャーＨ３の上段捕集部４１と略同形に形成されており、外側のリブ部６１と内側のリブ部６２と、軸部６３と、これら軸部６３とリブ部６１，６２とを放射状に連結する複数のリブ部６４と、前記切欠部６７と、から構成されている。
【００５０】
そして、上記内側のリブ部６２と複数のリブ部６４は、外側のリブ部６１及び軸部６３の高さ寸法よりも１段低く設定されていると共に、上記外側のリブ部６１の下縁部６１Ａは、該リブ部６１の直径寸法よりも縮径されて形成されており、該下縁部６１Ａを上記ヘアーキャチャーＨ３の上段捕集部４１に嵌合させることができるように構成されている。
【００５１】
尚、該下縁部６１Ａには、上記ヘアーキャチャーＨ３の上段捕集部４１に形成された２個の凹溝５０，５１と嵌合係止する係止突起６５，６６が形成されている。この係止突起６５，６６の形成位置は、本サブヘアーキャチャー６０をヘアーキャッチャーＨ３の上段捕集部４１に嵌合したときに、該上段捕集部４１の切欠部４４とサブヘアーキャッチャー６０の切欠部６７が重ならない位置に形成されている。
【００５２】
また、本サブヘアーキャッチャー６０の切欠部６７は、図３９と図４０に示すように、スライド軸Ｓの直径よりも若干太幅に形成され、かつ、サブヘアーキャッチャー６０の中心部に形成された軸部６３の開口部６３Ａは、スライド軸Ｓの直径及び軸部６３の口径よりも僅かに絞られ形成されている。
【００５３】
以上のように構成されてなるヘアーキャッチャーＨ３をスライド軸Ｓに装着し組み付ける場合には、図３０に示すように、まずヘアーキャッチャーＨ３の前記切欠部４４，４５，４６にスライド軸Ｓを通し、次に、スライド軸Ｓの直径よりも僅かに絞られたヘアーキャッチャーＨ３の上段捕集部４１の中心部に形成された軸部４３Ｕの開口部４３ＵＡと軸部４３の開口部４３Ａ及び下段捕集部４２の中心部に形成された軸部４３Ｌの開口部４３ＬＡからスライド軸Ｓを軸部４３内に押し入れる。これにより、ヘアーキャッチャーＨ３は、スライド軸Ｓの上下方向にスライド自在に保持される。
【００５４】
次に、上記ヘアーキャッチャーＨ３よりも上方の位置に、サブヘアーキャッチャー６０を、ヘアーキャッチャーＨ３の装着手順と同様の手順で押し入れる。
【００５５】
この後、サブヘアーキャッチャー６０をスライド軸Ｓの周方向に回転させ、サブヘアーキャッチャーの下縁部６１Ａに形成された係止突起６５，６６を、上記ヘアーキャチャーＨ３の上段捕集部４１に形成された２個の凹溝５０，５１と嵌合係止させる。これにより、ヘアーキャッチャーＨ３の切欠部４４とサブヘアーキャッチャー６０の切欠部６７が重ならないため、毛髪や糸屑等を効率良く捕集することができる。
【００５６】
勿論、ヘアーキャッチャーＨ３をスライド軸Ｓから取り外す場合には、上記手順とは逆に操作することで、ヘアーキャッチャーＨ３及びサブヘアーキャッチャー６０を簡単に取り外すことができる。
【００５７】
尚、上記各実施例１及び２では、ヘアーキャッチャーを左右に２分割した場合を例に取り説明したが、この発明では、２分割以上に分割形成し、これら組み合わせて構成してもよく、さらには、上記各実施例では、ヘアーキャッチャーの捕集部を上下２段で構成した場合を例にとり説明したが、この発明にあっては、これに限定されるものではなく、例えば、上または下のいずれか一つの捕集部を有するヘアーキャッチャーで構成し、或は、篭状のヘアーキャッチャーにも適用可能であり、さらには、公知の各種ヘアーキャッチャーにも適用可能である。勿論、ポップアップ式排水栓用のヘアーキャッチャーだけではなく、ゴム栓式排水栓用のヘアーキャッチャーにも適用できる。
【図面の簡単な説明】
【００５８】
【図１】この発明の実施例１に係るヘアーキャッチャーの着脱手順を示す説明図である。
【図２】同ヘアーキャッチャーの２分割された右側ヘアーキャッチャーの正面図である。
【図３】同右側ヘアーキャッチャーの平面図である。
【図４】同右側ヘアーキャッチャーの底面図である。
【図５】図３Ａ−Ａ線断面図である。
【図６】図３Ｂ部拡大詳細図である。
【図７】図４Ｃ部拡大詳細図である。
【図８】同ヘアーキャッチャーの２分割された左側ヘアーキャッチャーの正面図である。
【図９】同左側ヘアーキャッチャーの平面図である。
【図１０】同左側ヘアーキャッチャーの底面図である。
【図１１】図９Ａ−Ａ線断面図である。
【図１２】図９Ｂ部拡大詳細図である。
【図１３】図１０Ｃ部拡大詳細図である。
【図１４】この発明の実施例２に係るヘアーキャッチャーの着脱手順を示す説明図である。
【図１５】同ヘアーキャッチャーの分割された右側ヘアーキャッチャーの正面図である。
【図１６】同右側ヘアーキャッチャーの平面図である。
【図１７】同右側ヘアーキャッチャーの底面図である。
【図１８】同右側ヘアーキャッチャーの右側面図である。
【図１９】図１６Ａ−Ａ線断面図である。
【図２０】図１５Ｂ−Ｂ線断面図である。
【図２１】図２０Ｃ方向から見た拡大詳細図である。
【図２２】同ヘアーキャッチャーの分割された左側ヘアーキャッチャーの正面図である。
【図２３】同左側ヘアーキャッチャーの平面図である。
【図２４】同左側ヘアーキャッチャーの底面図である。
【図２５】同右側ヘアーキャッチャーの右側面図である。
【図２６】図２３Ａ−Ａ線断面図である。
【図２７】図２２Ｂ−Ｂ線断面図である。
【図２８】図２７Ｃ方向から見た拡大詳細図である。
【図２９】この発明の実施例３に係るヘアーキャッチャーの着脱手順を示す説明図である。
【図３０】同ヘアーキャッチャーの一部を切欠して示す正面図である。
【図３１】同ヘアーキャッチャーの平面図である。
【図３２】同ヘアーキャッチャーの底面図である。
【図３３】図３１Ｃ部拡大詳細図である。
【図３４】図３２Ｄ部拡大詳細図である。
【図３５】図３０Ｅ−Ｅ線断面図である。
【図３６】実施例３のヘアーキャッチャーの捕集部に嵌装されるサブヘアーキャッチャーの一部を切欠して示す正面図である。
【図３７】同サブヘアーキャッチャーの平面図である。
【図３８】同サブヘアーキャッチャーの底面図である。
【図３９】図３７Ｃ部拡大詳細図である。
【図４０】図３８Ｄ部拡大詳細図である。
【図４１】図３８Ｅ−Ｅ線断面図である。
【符号の説明】
【００５９】
Ｈ１，Ｈ２，Ｈ３  ヘアーキャッチャー
ＨＲ  右側ヘアーキャッチャー
ＨＬ  左側ヘアーキャッチャー
Ｐ  栓本体
Ｓ  スライド軸
２１，４１  上段捕集部
１Ｒ，２１Ｒ  右上段捕集部
１Ｌ，２１Ｌ  左上段捕集部
２，２２，４２  下段捕集部
２Ｒ，２２Ｒ  右下段捕集部
２Ｌ，２２Ｌ  左下段捕集部
３，２３，４３，６３  軸部
３Ｒ，２３Ｒ  右軸部
３Ｌ，２３Ｌ  左軸部
８Ｒ，８Ｒ  係止片
８Ｌ，８Ｌ  切欠部
９Ｒ，９Ｒ  係止突起
９Ｌ，９Ｌ  係止溝
１０Ｌ，１０Ｌ  係止片
２７Ｒ  拡径部
２８Ｒ，２８Ｒ  係止溝
２８Ｌ  縮径部
２９Ｌ，２９Ｌ  係合突起
４４，４５，４６，６７  切欠部
５０，５１  凹溝
６０  サブヘアーキャッチャー
６２Ａ  下縁部
６５，６６  係止突起
【図１】
2006299634.tif 000003
【図２】
2006299634.tif 000004
【図３】
2006299634.tif 000005
【図４】
2006299634.tif 000006
【図５】
2006299634.tif 000007
【図６】
2006299634.tif 000008
【図７】
2006299634.tif 000009
【図８】
2006299634.tif 000010
【図９】
2006299634.tif 000011
【図１０】
2006299634.tif 000012
【図１１】
2006299634.tif 000013
【図１２】
2006299634.tif 000014
【図１３】
2006299634.tif 000015
【図１４】
2006299634.tif 000016
【図１５】
2006299634.tif 000017
【図１６】
2006299634.tif 000018
【図１７】
2006299634.tif 000019
【図１８】
2006299634.tif 000020
【図１９】
2006299634.tif 000021
【図２０】
2006299634.tif 000022
【図２１】
2006299634.tif 000023
【図２２】
2006299634.tif 000024
【図２３】
2006299634.tif 000025
【図２４】
2006299634.tif 000026
【図２５】
2006299634.tif 000027
【図２６】
2006299634.tif 000028
【図２７】
2006299634.tif 000029
【図２８】
2006299634.tif 000030
【図２９】
2006299634.tif 000031
【図３０】
2006299634.tif 000032
【図３１】
2006299634.tif 000033
【図３２】
2006299634.tif 000034
【図３３】
2006299634.tif 000035
【図３４】
2006299634.tif 000036
【図３５】
2006299634.tif 000037
【図３６】
2006299634.tif 000038
【図３７】
2006299634.tif 000039
【図３８】
2006299634.tif 000040
【図３９】
2006299634.tif 000041
【図４０】
2006299634.tif 000042
【図４１】
2006299634.tif 000043